(57)【要約】本発明は、改善されたポケットを有するよだれ掛けを提供する。よだれ掛けは、ボディーパネルと、ボディーパネルとポケットパネルとの間にポケット空間を形成するポケットパネルと、ポケットパネルに接合された第３パネルとを有する。第３パネルは、第３パネルがポケット空間内に折り返されると、ポケット空間を開口形体で維持するのに役立つ、接合された可撓性部材を包含する。
2005517817.tif 000002
【特許請求の範囲】
【請求項１】
身体側表面及び外側表面、長手方向中心線、横幅、長手方向に伸びる側縁部を有する第１ボディーパネルと；
前記ボディーパネルの前記外側表面とポケットパネルの内側表面との中間に、ポケット開口縁部、ポケットの長手方向の長さ、及びポケットの横幅を有するポケット空間を提供するために、前記ボディーパネルに接合された第２ポケットパネルと；
内側表面及び外側表面と、前記ポケット開口縁部に接合された第１末端部と、前記第１末端部から間隔をあけて横方向に伸びる第２末端部とを有し、長手方向に伸びる側縁部の間で伸びる横幅を有する第３パネルと；
前記第３パネルの前記第１末端部にほぼ平行な前記第３パネルの第１折り返し縁部を少なくとも包含する重なった部分と、前記重なった部分を貫通する固着パターンとを含み、内側表面及び外側表面を有する可撓性部材であって、前記ボディーパネルの前記外側表面に面する前記可撓性部材の前記内側表面を有する第１位置から、前記ポケットパネルの前記内側表面に面する前記可撓性部材の前記内側表面を有する第２位置まで、前記可撓性部材が前記ポケット空間内へ偏向される時、前記ボディーパネルの前記外側表面と、前記ポケットパネルの少なくとも一部分との間に間隔をあけて、前記よだれ掛けの前記長手方向中心線に沿って前記ポケット空間の開口部を提供するように構成及び配置される可撓性部材とを含む使い捨てよだれ掛け。
【請求項２】
前記重なった部分が、前記第３パネルの前記第１末端部にほぼ平行な前記第３パネルの第２折り返し縁部を更に具備し、前記第１折り返し縁部が、前記第３パネルの前記第２末端部に隣接している請求項１の使い捨てよだれ掛け。
【請求項３】
前記重なった部分が、前記第３パネルの前記第１末端部にほぼ平行な前記第３パネルの第３折り返し縁部を更に含み、前記第３折り返し縁部が、前記第３パネルの前記第１折り返し縁部と前記第２末端部とに隣接している請求項２の使い捨てよだれ掛け。
【請求項４】
前記第３パネルが、長手方向に伸びる側縁部の中間で等距離で横方向に間隔をあけた、前記第１末端部と前記第２末端部との間で少なくとも部分的に長手方向に伸びる少なくとも二本のヒンジ線を更に含む請求項１の使い捨てよだれ掛け。
【請求項５】
前記少なくとも二本のヒンジ線が、前記第３パネルの前記長手方向に伸びる側縁部との間で約３５ｍｍ〜約５５ｍｍの範囲の距離で間隔をあけている請求項４の使い捨てよだれ掛け。
【請求項６】
前記少なくとも二本のヒンジ線が、約１２５ｍｍ〜約１６５ｍｍの範囲の距離によって分離されている請求項４の使い捨てよだれ掛け。
【請求項７】
前記少なくとも二本のヒンジ線が、前記可撓性部材の中まで伸びるくぼみ又はひだを含む請求項４の使い捨てよだれ掛け。
【請求項８】
前記少なくとも二本のヒンジ線が、前記可撓性部材の中まで伸びる穿孔を含む請求項４の使い捨てよだれ掛け。
【請求項９】
前記第３パネルが、前記ポケット空間の前記横幅より長い横幅を有する請求項１の使い捨てよだれ掛け。
【請求項１０】
前記固着パターンが、接着剤固着、超音波結合、赤外線結合、圧力接着、及び熱接着を含む群から選択される請求項１の使い捨てよだれ掛け。
【発明の詳細な説明】
【技術分野】
【０００１】
本発明は、使い捨てよだれ掛けに関し、より詳細には、こぼれた液体物質及び固体物質を受け入れるためのポケット構造を有するよだれ掛けに関する。
【背景技術】
【０００２】
使い捨てよだれ掛けは、当該技術分野において周知である。そのようなよだれ掛けは、食事中に乳幼児に使用するために提供され得る。使い捨てよだれ掛けは、多重層を含む積層体構造を有し得る。例えば、使い捨てよだれ掛けは、こぼれた食材を受けるための吸収性ペーパー又は不織布トップシートと、こぼれた液体がよだれ掛けを通過して乳幼児の衣類まで浸透するのを防ぐための塑性体フィルムバックシートとを包含し得る。他の多重層よだれ掛け構造も既知である。
【０００３】
先行技術は、他の方法では着用者の衣類を汚す固体又は液体を受けるためのポケット構造を有するよだれ掛けも開示している。そのようなポケットを有するよだれ掛けの例が、１９８４年５月１日にノエル（Noel）に発行された米国特許第４，４４５，２３１号に開示されている。ノエルは、引力で開口可能なポケットを有するよだれ掛けを開示している。ノエルはよだれ掛けと共に使用するためのポケット構造を改善している。しかし、ノエルは、よだれ掛けのポケットを開口形体で維持するためにエプロンパネルに作用する重力に依存している。そのようなデザインの有効性は、着用者及び／又はよだれ掛けの垂直配向に影響され得る。
【０００４】
固体又は液体を受けるためのポケット構造を有する使い捨てよだれ掛けのもう１つの例は、２０００年１０月１０日にレインハート（Reinhart）らに発行された米国特許第６，１２８，７８０号に開示されている。レインハートらは、第１ボディーパネル、第２ポケットパネル、及び第３パネルを含むよだれ掛け本体を有するよだれ掛けを提供している。第２ポケットパネルは、ボディーパネルとポケットパネルとの中間にポケット空間を提供するために、ボディーパネルに接合されている。ポケット空間はポケット開口縁部を有する。第３パネルは、ポケット開口縁部に接合されて、少なくとも部分的にポケット空間内まで伸び、第３パネルの少なくとも一部分は、ボディーパネルとポケットパネルとの間に配置されている。ポケットパネルとボディーパネルとの間の第３パネルの配置は、ボディーパネルの下にある部分と、ポケットパネルの少なくとも一部分との間に間隔をあけて、よだれ掛けの長手方向中心線に沿ってポケット空間の開口部を提供するのに役立つ。しかし、ポケットの開口部は、使用中にトレー又はテーブルに寄り掛かる着用者によって偏向して閉じられ、使用中にポケットが役に立たなくなることがある。
【発明の開示】
【発明が解決しようとする課題】
【０００５】
それ故に、こぼれた固体及び液体の食材を受けて保持するために、開口形体で維持され得るポケットを有する安価な使い捨てよだれ掛けの必要性が残っている。特に、使用中に誘発された通常の力にさらされる時にも開口形体を維持し得るポケットを有する使い捨てよだれ掛けの必要性がある。
【課題を解決するための手段】
【０００６】
本発明は使い捨てよだれ掛けを提供する。このよだれ掛けは、よだれ掛け本体と、よだれ掛け本体から伸びて首開口部を画定する一対の肩伸張部分とを含み得る。よだれ掛け本体は、長手方向の長さ、長手方向中心線、及び横幅を有し得る。
【０００７】
よだれ掛け本体は、第１ボディーパネル、第２ポケットパネル、及び第３パネルを含む。第２ポケットパネルは、ボディーパネルとポケットパネルとの中間にポケット空間を提供するために、ボディーパネルに接合されている。ポケット空間は、ポケット開口縁部、ポケットの長手方向の長さ、及びポケットの横幅を有する。第３パネルは、ポケット開口縁部に接合された第１末端部と、第１末端部から間隔をあけて横方向に伸びる第２末端部とを包含する。第３パネルは、少なくとも部分的にポケット空間内に伸びるように作成され、ポケットパネルの少なくとも一部分と、ボディーパネルの外側表面との間に間隔をあけるために、第３パネルの少なくとも一部分が、ボディーパネルとポケットパネルとの間に配置されている。
【０００８】
第３パネルは好ましくは、ポケット空間の横幅よりも長い横幅を有する。そのような配置は、第３パネルの少なくとも一部分がポケット空間に配置される時、折り返し又はしわなどよって平面的形体から変形される利点を提供する。第３パネルのそのような変形は、ポケットパネルとボディーパネルとの間に間隔をあけるのを助ける。しかし、あるいは第３パネルは、ポケット空間の横幅とほぼ等しい横幅を有し得る。更に、第３パネルは、ポケット空間の長手方向の長さより短い、又はほぼ等しい長手方向の長さを有し得る。
【０００９】
維持されたポケット空間を提供するために、可撓性部材が提供される。可撓性部材は、第３パネルのある部分を少なくとも一回重ねて、重なった部分を結合することにより形成されてもよい。ボディーパネルの外側表面に面する内側表面を有する第１位置から、ポケットパネルの内側表面に面する第３パネルの内側表面を有する第２位置まで、第３パネルがポケット空間内へ折り返されるか又は偏向される時、第３パネルは、よだれ掛けの長手方向中心線に沿ってポケット空間の開口部を提供するように、第３パネル及び可撓性部材は構成及び配置される。可撓性部材は第３パネルよりも堅く、また使用中に維持される耐久性のあるポケット開口部を提供する。
【００１０】
一実施形態では、第３パネルは、第１末端部と第２末端部との間で長手方向に伸び、長手方向に伸びる側縁部の中間で等距離で横方向に間隔をあけた少なくとも二本のヒンジ線を更に含む。これらのヒンジ線は、可撓性部材の中まで伸びるくぼみ又は穿孔を含んでもよい。第３パネルがポケット空間の内側に配置されると、ヒンジ線によって可撓性部材は、ポケット空間を偏向させて多重平面的形体に開け、通常の使用中に誘発された通常の力にさらされる時でさえもポケット空間の開口を維持するのに役立つ支持を提供する。
【発明を実施するための最良の形態】
【００１１】
本明細書は、本発明を特に指摘し明確に請求する請求項をもって結論とするが、本発明は、添付図面と関連する次の説明からより良く理解されるであろうし、図面中、同様の表記はほぼ同一の要素を示すために使用される。
【００１２】
図１は、本発明の一実施形態による使い捨てよだれ掛け２０を説明している。「使い捨て」は、よだれ掛けが一回使用され、その後捨てられることを意味する。使い捨てよだれ掛け２０は、長手方向に伸びる側面３２及び３４、長手方向の長さＬ、長手方向中心線２１、横方向に伸びる底部縁部３６、及び横幅Ｗを有するよだれ掛け本体２２を含む。
【００１３】
用語「長手方向」は、よだれ掛け本体２２の長さに沿って測定された軸線又は方向を指し、その方向又は軸線は、よだれ掛けが着用される時、着用者の頭から着用者のウエストまで伸びる線にほぼ平行である。用語「横方向」及び「横断方向」は、長手方向中心線２１に垂直であると共に、よだれ掛けが着用される時、着用者の胸を横切って伸びる線にほぼ平行である方向又は軸線を指す。
【００１４】
よだれ掛け２０は、食物の粒子を捕獲及び受けるためのポケット１００を包含する。よだれ掛け本体２２は、第１ボディーパネル７０、第２ポケットパネル１０５、及び第３パネル６００を含む。ボディーパネル７０は、よだれ掛けが着用者に固定される時、着用者の体に隣接して配置される。ポケットパネル１０５は、ほぼ四角い形状を有し得るか、あるいは、図２及び図３に示されるようにほぼ楕円形の形状を有し得る。ポケットパネル１０５は、ボディーパネル７０と共に、ボディーパネル７０とポケットパネル１０５との中間にポケット空間を含むポケット１００を形成する。第３パネル６００は、ポケットパネル１０５に接合されて、ポケット１００内へ折り返されるか又は偏向されて、図２及び図３に示されるように、ボディーパネル７０とポケットパネル１０５との中間に配置され得る。
【００１５】
ポケットパネル１０５は、よだれ掛け底部縁部３６でもあり得るポケット底部縁部１２０から長手方向にポケット開口縁部１１０まで伸びる。ポケット空間の長手方向の長さは、底部縁部１２０からポケット開口縁部１１０まで長手方向中心線２１に沿って測定される。参照番号１１７は、ポケット空間の長手方向の長さを示している。底部縁部１２０及び開口縁部１１０は共に、長手方向中心線２１にほぼ垂直で、想像上の横方向の軸線にほぼ平行であり得る。
【００１６】
ポケットパネル１０５は、よだれ掛け側縁部３２と３４の中間で横方向に伸びる。ポケットパネル１０５は、参照番号１０７によって示される取り付け領域で縁部３２及び３４に沿って下にあるボディーパネル７０に接合されている。接着剤などの固定手段が使用されて、取り付け領域１０７においてポケットパネル１０５の側縁部をボディーパネル７０に接合し得る。ポケット空間は、参照番号１１８によって示される横幅を有する。ポケット空間の横幅１１８は、取り付け領域１０７間の最小の横方向空隙部に対応している。
【００１７】
第３パネル６００は、よだれ掛け２０の一部分に接合され、折り返されて、ボディーパネル７０とポケットパネル１０５との中間のポケット空間内に少なくとも部分的に伸び得る。一実施形態では、ボディーパネル７０、ポケットパネル１０５、及び第３パネル６００は、材料の連続するシートから形成されることができると共に、材料のシートは、１つ以上の層を含んでもよい。あるいは、ポケットパネル及び第３パネルは、ボディーパネルから分離している連続するシートから形成され得る。ポケットパネル１０５は、よだれ掛け底部縁部３６に対応する、シート材料において横方向に伸びる折り目でボディーパネル７０に接合され得る。あるいは、第３パネル６００は、ポケット開口縁部１１０に対応する、シート材料において横方向に伸びる折り目によってポケットパネル１０５に接合され得る。
【００１８】
第３パネル６００は、四辺形の形状を有することができ、より詳細には、第３パネル６００は、ほぼ四角い形状を有し得る。第３パネル６００は、開口縁部１１０でポケットパネル１０５に接合された第１末端部６１０を有し得る。第３パネル６００は、第１末端部６１０との間に長手方向に間隔をあけた、横方向に伸びる第２末端部６３０を有し得る。第３パネル６００は、第３パネル６００の第１末端部６１０から第２末端部６３０まで伸びる、長手方向に伸びる側縁部６２０も有し得る。第２末端部６３０及び側縁部６２０は、よだれ掛け２０の他の部分に取り付けられていない自由縁である。
【００１９】
第３パネル６００は、ポケットパネル１０５の少なくとも一部分と、下にあるボディーパネル７０の一部分との間に間隔をあけて、長手方向中心線２１に沿ってポケット空間の開口部を提供する。特に、ポケット１００内に伸びる第３パネル６００の少なくとも一部分は、折り返し又はしわなどによって平面的形体から変形されて、ボディーパネル７０との間にポケットパネル１０５の一部分の空隙部を提供し得る。
【００２０】
好ましくは、第３パネル６００は横幅を有し、その寸法は、ポケット空間に関連し、第３パネルがボディーパネル７０とポケットパネル１０５との間に配置される時、第３パネル６００の変形を促進する寸法である。第３パネル６００は好ましくは、横幅を有し、それは、ポケット空間の横幅１１８よりも長い。第３パネル６００は、図１において参照番号６１８によって示される横幅を有する。第３パネル６００がポケット空間に配置される時、第３パネル６００は偏向されて、幅６１８と幅１１８との差のために、そのパネルを平面的形体から変形させる。この変形は図３において説明され、その図は、ポケットパネル１０５の一部分とボディーパネル７０との間に配置された第３パネル６００を示し、第３パネル６００の長手方向中心線は、よだれ掛けのボディーパネル７０の長手方向中心線２１から離れて偏向される。第３パネルのそのような偏向は、ポケット１００を開口形体で維持するのに役立つ。
【００２１】
第３パネル６００は、図１において参照番号６１７によって示される長手方向の長さを有する。第３パネル６００は、ポケット空間の長手方向の長さ１１７より短いか、又はほぼ等しい長手方向の長さを有し得る。第３パネル６００は、長手方向の長さを有することができ、それは長さ１１７の少なくとも５０％であるが、長さ１１７の１００％未満である。あるいは、第３パネル６００は長手方向の長さを有することができ、それは長さ１１７の５０％未満である。
【００２２】
第３パネル６００は、第３パネル６００の内側表面に取り付けられ、長手方向に伸びる側縁部６２０間で横方向に伸びる可撓性部材６５０を包含する。可撓性部材６５０は、ポケットパネル１０５の開口縁部１１０に堅さ及び可撓性を加えることによって、使用中にポケット空間を維持するのに役立つ。ポケットパネル１０５に、ポケット空間をつぶす負荷がかけられて、力が取り除かれると跳ね返ってポケット空間を回復する時、可撓性部材６５０は、使用中に偏向し得る。
【００２３】
可撓性部材６５０は好ましくは、第３パネル６００の第１末端部６１０の最も近くに取り付けられて、第３パネル６００がポケット空間に配置される時、可撓性部材６５０はポケット１００の開口縁部１１０に隣接している。可撓性部材６５０は、第３パネル６００の長手方向の全長６１７か、又は長手方向の長さ６１７のほんの一部分に伸びてもよい。ポケットパネル１０５に堅さを加えることに加えて、可撓性部材６５０は、吸収性でもあり、使用中にこぼれたものを吸収する追加的機能を提供してもよい。
【００２４】
可撓性部材６５０は、シールドエア社（Sealed Air Corp.）によって製造された０．６２ミルポリエチレン発泡体を含んでもよい。あるいは、可撓性部材６５０は、ポリマーフィルム、不織布、スポンジ、発泡体、接着性フィルム、又は接着性充填材を含んでもよい。
【００２５】
もう１つの実施形態では、可撓性部材６５０は、少なくとも一回折り返され、固着される第３パネル６００の一部分を含む重なった部分７００を含み、重なった部分を作り上げる各連続する層が取り付けられる。固着は、つぶれ又は曲げに最大の抵抗を提供するために選択される固着パターンを包含する。固着パターンは、重なった部分７００に沿って別個の位置に配置された断続的固着場所、又は重なった部分の幅を横切って横方向に伸びる、切れていない連続する固着を包含することができ、それは、この実施形態では、第３パネル６００の横幅６１８に等しい。固着パターンは、接着剤固着、超音波結合、赤外線結合、圧力接着、熱接着、及び当業者に既知のあらゆる別の固着方法によって形成され得る。代替の実施形態では、固着パターンは、製品のロゴ又は商標の形状を形成してもよい。
【００２６】
一般に、重なった部分７００は、第３パネル６００の第２末端部６３０を一回折り返して、図４ａ及び図４ｂに示されるように、第３パネル６００の第１末端部６１０にほぼ平行である第１折り返し縁部７１０をつくることによって形成されてもよい。別の実施形態では、重なった部分７００は、少なくとも２つの折り目を含み、図４ａ及び図４ｂに示される重なった部分７００の第１折り返し縁部７１０が折り返されて、第１折り返し縁部７１０に平行である第２折り返し縁部７２０を形成して、図５ａ及び図５ｂにおいて示されるように、第３パネル６００の第２末端部６３０に隣接して第１折り返し縁部７１０を配置する。更に、別の一実施形態では、重なった部分６００は少なくとも三つの折り目を含み、図５ａ及び図５ｂに示される重なった部分７００の第２折り返し縁部７２０が折り返されて、第３折り返し縁部７３０を形成し得る。この実施形態では、第３折り返し縁部７３０は好ましくは、図６ａ及び図６ｂに示されるように、重なった部分７００の第１折り返し縁部７１０と、第３パネル６００の第２末端部６３０との両方に隣接して、第３パネル６００の第２末端部６３０と、重なった部分６００の第１折り返し縁部７１０とは、露出していない。これらの実施形態の各々では、重なった部分７００は、重なった部分７００を貫通する固着パターン７５０を包含し、重なった部分７００を作り上げる各連続する層を取り付ける。
【００２７】
可撓性部材６５０に加えて、第３パネル６００は、第３パネル６００の第１末端部６１０と第２末端部６３０との間で少なくとも部分的に長手方向に伸びるヒンジ線６６０を含んでもよい。好ましくは、ヒンジ線は第３パネル６３０の第１末端部６１０から第２末端部６３０まで伸びる。ヒンジ線６６０は、可撓性部材６５０内へ伸びるくぼみ又はひだを含む。ヒンジ線６６０は可撓性部材６５０と組み合わさって、第３パネル６００の能力を増大し得る多重平面的ポケットパネル１０５をつくり、使用中にポケット空間を開口形体で維持する。
【００２８】
何本かのヒンジ線６６０が提供されてもよいが、第３パネル６００は好ましくは、図１、図２、及び図３に示されるように、第３パネル６３０の長手方向に伸びる側縁部６２０から等距離で配置された少なくとも二本のヒンジ線６６０を包含する。第３パネル６００がポケット空間に配置されると、ヒンジ線６６０は第３パネル６００を、１つの中間平面６７０Ａと、長手方向に伸びる側縁部６２０に隣接する２つの側面平面６７０Ｂとの３平面に分離する。２つの側面平面６７０Ｂは、第１ボディーパネル７０に関してある角度で配向されると共に、中間平面６７０Ａに支持を提供して、中間平面６７０Ａに標準的に加えられた負荷から生じるポケットパネル１０５の偏向は主に、側面平面６７０Ｂと共に発生する曲がりの形状の最小の偏向を有する中間平面６７０Ａに制限される。この配置は可撓性部材６５０と組み合わさって、ポケットパネル１０５の堅さを増大する。
【００２９】
よだれ掛け２０は、近位端２４Ａ、２６Ａと遠位端２４Ｂ、２６Ｂとを有する一対の肩伸張部分２４、２６も含む。肩伸張部分２４、２６は、その近位端から縁位端までよだれ掛け本体２２から伸びて、よだれ掛けが平たい水平面上で支持される時、ほぼ平面の首開口部２００を提供する。
【００３０】
よだれ掛け２０は好ましくは、肩伸張部分２４と２６を共に重なり合う様式で接合するための締着アセンブリも含んで、着用者によだれ掛け２０を固定する。締着アセンブリは、肩伸張部分の少なくとも一方の上に配置された要素を有する機械的ファスナを含むことができ、その要素は、他方の肩伸張部分上のランディング面を貫通して、それを物理的に係合する。一実施形態では、ファスナは、肩伸張部分２６に接合された基材から伸びる突起の配列を包含し得る。これらの突起はランディング面と係合可能であり、そのランディング面は肩伸張部分２４の少なくとも一部分上に配置される。
【００３１】
ほぼ平面の首開口部２００は、前側首部分２１０、後側首部分２３０、及び前側首部分２１０と後側首部分２３０との中間に配置された最大幅部分２２０を有する。
【００３２】
複数のスリット２１１が、前側首開口部部分２１０の周辺部２０１からほぼ放射状の様式で伸び得る。スリット２１１は、着用者の首に対して前側首開口部部分２１０周辺部２１０の、接近しているが快適な適合を提供する。スリット２１１は、肩伸張部分２４、２６が重なり合う時、スリット２１１の中間に生じるよだれ掛けの花びら様の部分を互いの上に滑らせる。スリット２１１はそれによって、首開口部２００が着用者の首に適合させられる時、よだれ掛け本体のゆがみ及び空所化変形を低減するのに役立つ。それ故に、スリット２１１は首開口部２００の形状と協同して、着用者の首の周囲のよだれ掛けの適合性を改善すると共に、肩伸張部分２４、２６が重なり合って特定の首の寸法を収容する時、よだれ掛け本体のゆがみ及び空所化変形を低減する。そのようなスリット又は分岐は、モレット（Moret）への米国特許第４，４１６，０２５号にほぼ開示されており、その特許を参考として引用し本明細書に組み込む。
【００３３】
より詳細なよだれ掛け２０の構成要素に関し、本発明によるよだれ掛け２０は、多重層を有する複合構造を含み得る。よだれ掛け２０は、不織布外側層、吸収性組織内側層、及びトップシートと比較して液体不透過性である衣類に面するバックシート層の積層体を含み得る。トップシートは、こぼれた食材を受けるための第１外側表面と、内側組織層に接合された第２内側表面とを有する。バックシートは、第１衣類面表面と、内側組織層に接合された第２表面とを有する。バックシートの表面とトップシートの表面とは、反対に面する表面であり、接着剤などで組織層に接合されて、積層体を形成し得る。一実施形態では、肩伸張部分２４、２６、よだれ掛けのボディーパネル７０、ポケットパネル１０５、及び第３パネル６００は、トップシート、組織層、及びバックシートの積層体の連続する単一シートから形成される。好ましい実施形態では、肩伸張部分２４，２６及びよだれ掛けのボディーパネル７０は、トップシート、組織層、及びバックシートの積層体の連続する単一シートから形成される一方、ポケットパネル及び第３パネルは、ボディーパネルの外側表面に固着される不織布の連続するシートから形成される。
【００３４】
トップシートは親水性不織布を含み得る。好適な不織布は、ペンシルバニア州ハゼルトンのファーストクオリティーノンウーブンズ社（First Quality Non-wovens）によって製造された、１３．５〜２７．０ｇ／ｍ２の範囲の坪量を有する３ビームスパンボンド・スパンボンド・スパンボンド材を含み得る。
【００３５】
バックシートは、約０．６５ミル（０．０００６５インチ）と約２．０ミル（０．００２インチ）との間の厚さを有する、ポリエチレンフィルムなどの液体不透過性ポリマーフィルムを含み得る。一実施形態では、バックシートは、オハイオ州シンシナティーのクロパイポリエチレンフィルム社（Clopay Polyethylene Film）によって表記ＤＨ２１６で製造された、約０．８５ミルの厚さを有するポリエチレンフィルムを含み得る。
【００３６】
組織層は、２０．０〜４４．０ｇ／ｍ２の範囲の坪量を有するセルロース組織層を含み得る。実施形態の１つでは、組織層は、ミシシッピ州ウィギンズのセルティッシュ社（Cellu-Tissue）によって製造された、約３２．６ｇ／ｍ２の坪量を有する単プライセルロース組織層を含み得る。
【００３７】
第３パネルとポケットパネルとの組み合わせは、液体不透過性不織布を含み得る。一実施形態では、第３パネルとポケットパネルとの組み合わせは、ペンシルバニア州ハゼルトンのファーストクオリティーノンウーブンズ社（First Quality Non-wovens）によって製造された、約１５ｇ／ｍ２の坪量を有するスパンボンド・メルトブローン・メルトブローン・スパンボンド不織布を含む。
【００３８】
トップシート及びバックシートは、接着剤結合、機械的結合、及び超音波結合など、いずれか好適な方法で組織層に接合され得るが、それらの方法に制限されない。トップシートとバックシートを接合するための好適な接着剤は、ホットメルト感圧接着剤などのホットメルト接着剤である。トップシートをバックシートに接合するのに好適である特定の一接着剤は、ミネソタ州セントポールのエイチビーフラー社（H.B.Fuller Co.）によって製造されたＨＬ−１２５８接着剤である。他の好適な接着剤には、ウィスコンシン州エルムグローブのフィンドレ−アドヒーシブズ社（Findley Adhesives）から入手可能なフィンドレ−アドヒーシブ（Findley Adhesive）Ｈ２０３１とＨ２１２０が挙げられる。
【００３９】
よだれ掛けが使用される時間の前に、肩伸張部分２４及び２６は、選択的脆弱線２７０に沿って遠位端２４Ｂ、２６Ｂなどで共に接合され得る。よだれ掛けが使用される時に、肩伸張部分は、選択的脆弱線２７０に沿って分離可能であるので、肩伸張部分は、裂けることなく、さもなければよだれ掛けの他の部分を損傷することなく分離され得ると共に、締着アセンブリによって重なり合う様式で取り外し可能に接合され得る。
【００４０】
一実施形態では、選択的脆弱線２７０は、長手方向中心線２１と一直線をなすと共に、間隔をあけて離れている複数の穿孔を含む。これらの穿孔は、よだれ掛け２００の厚さを通って部分的に又は充分に伸びる。穿孔は、穿孔ナイフで形成されることができ、またバックシート、トップシート、及び不織布ウェブの各々を通って伸びることができる。
【００４１】
選択的脆弱線２７０は、肩伸張部分の遠位端が使用前に離れているよりも結合されているという利点を提供する。従って、このよだれ掛けは使用前の取り扱いがより容易である。更に、選択的脆弱線の使用によって製造が容易になる。例えば、よだれ掛け２０は、バックシート材料、トップシート材料、及び不織布材の連続するウェブを共に接合して、連続する多重層シートを形成することによって製造され得る。多重層シートは次に、シートから切断される各よだれ掛けの所望の位置に対応する予め定められた位置で穿孔され得る。よだれ掛けは次に、予め定められたパターンによりシートから切断され得る。それ故に、製造中に肩伸張部分の離れている遠位端を配置又は支持しようと試みる必要性はない。
【００４２】
本発明の特定の実施形態及び／又は個別の特徴を例示し説明しているが、本発明の趣旨と範囲から逸脱することなく、様々な変化と変形が可能であることは当業者には明白である。更に、このような実施形態及び特徴の全ての組み合わせが可能であり、またこれにより本発明を好ましく実施できることも明らかである。従って、添付の請求項は、本発明の範囲内にある全てのこのような変化と変形を包括するように意図したものである。
【図面の簡単な説明】
【００４３】
【図１】本発明による使い捨てよだれ掛けの斜視図である。
【図２】ポケット空間内に折り返された第３パネルを有する、図１の使い捨てよだれ掛けの使用中の図である。
【図３】ポケット空間内に折り返された第３パネルを有するポケット空間を示す、図２の使い捨てよだれ掛けの上面図である。
【図４ａ】可撓性部材が、第３パネルの第１末端部にほぼ平行である第３パネルの第１折り返し縁部と、重なった部分の横幅に広がる、重なった部分を貫通する連続する固着とを含む重なった部分を含む、本発明による使い捨てよだれ掛けの第３パネルの斜視図である。
【図４ｂ】図４ａに示される重なった部分の横断面図である。
【図５ａ】可撓性部材が、第３パネルの第１末端部にほぼ平行な第３パネルの第１折り返し縁部と、第１折り返し縁部を第３パネルの第２末端部に隣接して配置する、第１末端部にほぼ平行な第２折り返し縁部と、重なった部分を貫通すると共に重なった部分の横幅に広がる連続する固着とを含む重なった部分を含む、本発明による使い捨てよだれ掛けの第３パネルの斜視図である。
【図５ｂ】図５ａに示される重なった部分の横断面図である。
【図６ａ】可撓性部材が、第３パネルの第１末端部にほぼ平行な第３パネルの第１折り返し縁部と、第１折り返し縁部を第３パネルの第２末端部に隣接して配置する第１末端部にほぼ平行な第２折り返し縁部と、第１末端部に平行な第３折り返し縁部とを含む重なった部分を含み、第３折り返し縁部が第１折り返し縁部と、第３パネルの第２末端部とに隣接して形成され、連続する固着が重なった部分を貫通すると共に重なった部分の横幅に広がる、本発明による使い捨てよだれ掛けの第３パネルの斜視図である。
【図６ｂ】図６ａに示される重なった部分の横断面図である。
【図１】
2005517817.tif 000003
【図２】
2005517817.tif 000004
【図３】
2005517817.tif 000005
【図４ａ】
2005517817.tif 000006
【図４ｂ】
2005517817.tif 000007
【図５ａ】
2005517817.tif 000008
【図５ｂ】
2005517817.tif 000009
【図６ａ】
2005517817.tif 000010
【図６ｂ】
2005517817.tif 000011
【国際調査報告】
2005517817.tif 000012
2005517817.tif 000013